(57)【要約】      （修正有）【課題】設置場所や薬剤の入った容器の形状によらず薬剤の噴出を補助する薬剤噴出補助装置を提供する。【解決手段】薬剤噴出補助装置は、薬剤の入った容器を保持する保持部５と、容器の鉛直方向上側に設けられる押圧部５５と、足で踏む力を押圧部５５へ伝達する力伝達機構１５とを備え、押圧部５５は、容器から薬剤を噴出させるノズルの位置を決めるノズル位置決め部４５を有し、力伝達機構１５は、足で踏むペダル部３０と、ペダル部３０の下側に設けられるペダル支持機構２５と、ペダル部３０と押圧部５５を結合する結合部２０とを有する。【選択図】図１
0003228503.tif 000002
【実用新案登録請求の範囲】
【請求項１】
薬剤の入った容器を保持する保持部と、
前記容器の鉛直方向上側に設けられる押圧部と、
足で踏む力を前記押圧部へ伝達する力伝達機構と
を備え、
前記押圧部は、
前記容器から薬剤を噴出させるノズルの位置を決めるノズル位置決め部
を有し、
前記力伝達機構は、
前記足で踏むペダル部と、
前記ペダル部の下側に設けられるペダル支持機構と、
前記ペダル部と前記押圧部を結合する結合部と
を有する
ことを特徴とする薬剤噴出補助装置。
【請求項２】
前記保持部の転倒を防止する板状の転倒防止部を有し、該転倒防止部の底面の面積は、前記保持部の底面の面積の２倍以上であることを特徴とする請求項１に記載する薬剤噴出補助装置。
【請求項３】
前記力伝達機構が、前記押圧部の鉛直方向についての位置を調整させる位置調整機構を有することを特徴とする請求項１又は請求項２に記載する薬剤噴出補助装置。
【考案の詳細な説明】
【技術分野】
【０００１】
本考案は、手指を清浄にする薬剤の噴出を補助する薬剤噴出補助装置に関する。
【背景技術】
【０００２】
近年、グローバル化により人と物の国際的な往来の頻度が急激に高まり、且つ、人が行き来する範囲も拡大している。また航空運輸事情の改善により国と国の間の旅行に必要な時間も短縮された。
【０００３】
しかしこのために従来ならば一地域における風土病で収まっていた感染症が世界中に短期間に伝播してしまう危険性が高まった。特に最近では新型コロナウイルス感染症が世界的に大流行し、多くの犠牲者を生んでいる。
【０００４】
感染症の感染経路は、一般的に飛沫感染、空気感染、接触感染といったものが考えられる。このうち接触感染経路とは、ウイルスが付着した物の表面に手指が触れることでヒトからヒトへの感染を起こす経路であり、手指をアルコール等の抗ウイルス性のある薬剤で清浄にすることで避けることができる。
【０００５】
従来から薬剤の入った容器から薬剤を噴出する薬剤噴出装置は考案されてきた（例えば、特許文献１参照）。
【先行技術文献】
【特許文献】
【０００６】
【特許文献１】実用新案登録第３１５３６０９号公報
【考案の概要】
【考案が解決しようとする課題】
【０００７】
しかしながら、自動的に薬剤を噴出させる場合には何らかの人感センサと、コンプレッサなどの噴出用の装置が必要になり、電源が必須となる。しかし電源として電池を使用すると電池切れの心配があり、またコンセントから電力を取得するとすると薬剤噴出装置の置き場所が限定されてしまう。
【０００８】
自動化をしないで従来のように設置台に薬剤の入ったポンプ式の容器を置く方法では、ポンプを作動させるための押し下げ部分に不特定多数が接触することになり接触感染の危険がある。また専用の容器に入れないと噴出できない装置では薬剤の移し替えが手間となる。
【０００９】
本考案は、斯かる実情に鑑み、設置場所や薬剤の入った容器の形状によらず薬剤の噴出を補助する薬剤噴出補助装置を提供しようとするものである。
【課題を解決するための手段】
【００１０】
（１)本考案は、薬剤の入った容器を保持する保持部と、前記容器の鉛直方向上側に設けられる押圧部と、足で踏む力を前記押圧部へ伝達する力伝達機構とを備え、前記押圧部は、前記容器から薬剤を噴出させるノズルの位置を決めるノズル位置決め部を有し、前記力伝達機構は、前記足で踏むペダル部と、前記ペダル部の下側に設けられペダル支持機構と、前記ペダル部と前記押圧部を結合する結合部とを有することを特徴とする薬剤噴出補助装置を提供する。
【００１１】
上記（１）に記載する考案は、足で踏む力を使うことで薬剤の入った容器から薬剤を噴出させることができるので、不特定多数のヒトが容器に接触する危険無しに薬剤による手指の洗浄を可能にするという優れた効果を奏する。
【００１２】
また薬剤を噴出させるノズルの位置を決めるノズル位置決め部を有するので、繰り返し使用するうちに薬剤を噴出させるノズルの位置がずれて手指の洗浄がし難くなることを防ぐという優れた効果を奏する。
【００１３】
（２)本考案は、前記保持部の転倒を防止する板状の転倒防止部を有し、該転倒防止部の底面の面積は、前記保持部の底面の面積の２倍以上であることを特徴とする上記（１）に記載する薬剤噴出補助装置を提供する。
【００１４】
上記（２）に記載する考案は、地震や事故によって薬剤噴出補助装置が転倒することを防ぐという優れた効果を奏する。
【００１５】
（３)本考案は、前記力伝達機構が、前記押圧部の鉛直方向についての位置を調整させる位置調整機構を有することを特徴とする上記（１）又は上記（２）に記載する薬剤噴出補助装置を提供する。
【００１６】
上記（３）に記載する考案は、押圧部と保持部の間の距離を市販されている様々な種類の薬剤入り容器の形状に合わせることができるので、専用の容器に移し替える必要が無く容易に薬剤噴出を実現できるという優れた効果を奏する。
【考案の効果】
【００１７】
本考案の請求項１〜３記載の薬剤噴出補助装置によれば、不特定多数のヒトが容器に接触する危険無しに薬剤による手指の洗浄を可能にするというという優れた効果を奏し得る。
【図面の簡単な説明】
【００１８】
【図１】本考案の実施形態に係る薬剤噴出補助装置の斜視図である。
【００１９】
【図２】（Ａ）薬剤噴出補助装置の断面図である。（Ｂ）薬剤噴出補助装置を作動させた態様の説明図である。
【考案を実施するための形態】
【００２０】
以下、本考案の実施の形態を添付図面を参照して説明する。
【００２１】
図１〜図２は考案を実施する形態の一例であって、図中、同一の符号を付した部分は同一物を表わす。
【００２２】
図１は、本考案の実施形態に係る薬剤噴出補助装置１の斜視図である。薬剤噴出補助装置１は、薬剤の入った容器Ｂ（後述する図２参照）を保持する保持部５と、容器Ｂの鉛直方向上側に設けられる押圧部５５と、足で踏む力を前記押圧部へ伝達する力伝達機構１５とを備える。押圧部５５は、容器Ｂから薬剤を噴出させるノズルＮ（後述する図２参照）の位置を決めるノズル位置決め部４５を有する。力伝達機構１５は、足で踏むペダル部３０と、ペダル部３０の下側に設けられるペダル支持機構２５と、ペダル部３０と押圧部５５を結合する結合部２０とを有する。
【００２３】
さらに保持部５の転倒を防止する板状の転倒防止部１０を有し、転倒防止部１０の底面の面積は、保持部５の底面の面積の２倍以上であることが望ましい。具体的には例えば保持部５の底面は１５ｃｍ角の正方形で、転倒防止部１０は直径３０ｃｍの円盤状であってよい。保持部５底面の中心と転倒防止部１０底面の中心は一致していることが望ましい。
【００２４】
また力伝達機構１５は、押圧部３０の鉛直方向（図中Ｚ方向）についての位置を調整させる位置調整機構４０を有する。図１では、位置調整機構４０は押圧部５５近傍に設けたが、ペダル部３０近傍に設けてもよい。
【００２５】
次は具体的に各部の形状、材料等の例を挙げていく。
【００２６】
押圧部５５は、容器Ｂの上部にあるポンプを作動させるための押し下げ機構を鉛直方向下向きに押すように保持部５の上側に設ける。すなわち押圧部５５と保持部５の上面５０の間に容器Ｂを上下方向から挟み込み、押圧部５５が下向きに動くことで容器Ｂから薬剤が噴出されるように容器Ｂを設置する。押圧部５５の材料は樹脂でもよく、金属でもよい。いずれにしても、容器Ｂに入っている薬剤に侵食されない材料であることが望ましい。
【００２７】
なお容器Ｂに入った薬剤としては、アルコール類や次亜塩素酸が含まれる抗ウイルス作用または殺菌作用がある液体が考えられる。
【００２８】
押圧部５５はＺ方向下向きに折れ曲がった折れ曲がり部６０を有する。折れ曲がり部６０には、容器ＢのノズルＮの位置を決めるノズル位置決め部４５が設けられている。ノズル位置決め部４５は、具体的にはノズルＮを差し込むことが可能な、例えば直径５ｍｍ〜１．５ｃｍの孔である。なおノズル位置決め部４５は孔ではなく、折れ曲がり部６０の一部分が鉛直方向下向き部分が開放された切り欠きであってもよい。
【００２９】
押圧部５５は、位置調整機構４０を用いて結合部２０に固定される。具体的には結合部２０は、例えば金属製の丸棒であり、位置調整機構４０は、結合部２０に設けられた雄ネジ構造と、雌ネジ構造を有するナットから構成される。すなわち押圧部５５に孔が開いており、貫通する結合部２０に取り付けた２つのナットで押圧部５５を上下方向から挟み込むことで、押圧部５５が固定される位置を調整する。
【００３０】
結合部２０は保持部上面５０に設けられた孔から保持部５に入りペダル部３０に接続される。
【００３１】
保持部５は、例えば鉄板を組み合わせて作られた、例えば底面が１５ｃｍ角の正方形、高さ約１ｍの直方体の箱状であり、下部に開口部３を有する。保持部５の下部は、転倒防止部１０に接続される。接続方法は、例えばネジ止めや溶接が考えられる。転倒防止部１０としては略円盤状の鉄板を用いることが考えられる。
【００３２】
開口部３からペダル部３０が外側に向かって配設され、図中Ｘ方向で保持部５から外側につきだした部分の先端がヒンジ構造で固定される。すなわち図２で後述するように、足でペダル部３０の滑り止め部３５部分を踏むと、ペダル支持機構２５が圧縮されてペダル部３０がＺ方向下向きに動くことで結合部２０を下に押し下げ、結果として、押圧部５５が容器Ｂの上部を押し下げることで、薬剤噴出を補助することとなる。
【００３３】
ペダル支持機構２５は弾性性を持つもので、例えばコイルバネであってよい。
【００３４】
なお５の側面部分には、この薬剤噴出補助装置１を設置する店等のロゴなどを入れることで宣伝広告をおこなうこともでき、また店のデザインコンセプトを妨げることの無い外装にすることも可能である。
【００３５】
次に、上記した実施の形態の動作を図２で説明する。
【００３６】
図２（Ａ）は、薬剤噴出補助装置１の断面図である。容器Ｂは、押圧部５５と保持部上面５０の間に挟まれて、ノズル位置決め部４５でノズルＮの位置が決められている（図１参照)。使用者は手指ＨをノズルＮに近づけ、足Ｆをペダル部３０に掛ける。ペダル部３０が鉛直方向下向きに踏み込まれる前にはペダル支持機構２５は元の大きさのままであり、結合部２０は動いていない。
【００３７】
足Ｆでペダル部３０を踏み込むと、ペダル部３０はヒンジ構造を持つのでヒンジを閉じる方向に沈み込む。このときペダル支持機構２５は圧縮され、結合部２０は鉛直方向下向きに押し下げられる。結果として結合部２０に結合された押圧部５５が下向きに引かれ、容器Ｂのポンプ機構が作動されて容器ＢのノズルＮから手指Ｈに向かって、薬剤が噴出される（図２（Ｂ）参照）。
【００３８】
本考案の実施形態に係る薬剤噴出補助装置１は、足で踏む力を使うことで薬剤の入った容器から薬剤を噴出させることができるので、不特定多数のヒトが容器に接触する危険無しに薬剤による手指の洗浄を可能にするという優れた効果を奏する。
【００３９】
また薬剤を噴出させるノズルの位置を決めるノズル位置決め部４５を有するので、繰り返し使用するうちに薬剤を噴出させるノズルの位置がずれて手指の洗浄がし難くなることを防ぐという優れた効果を奏する。
【００４０】
本考案の実施形態に係る薬剤噴出補助装置１は、地震や事故によって薬剤噴出補助装置が転倒することを防ぐという優れた効果を奏する。
【００４１】
本考案の実施形態に係る薬剤噴出補助装置１は、押圧部５５と保持部５の間の距離を市販されている様々な種類の薬剤入り容器の形状に合わせることができるので、専用の容器に移し替える必要が無く容易に薬剤噴出を実現できるという優れた効果を奏する。
【００４２】
尚、本考案の薬剤噴出補助装置は、上記した実施の形態に限定されるものではなく、本考案の要旨を逸脱しない範囲内において種々変更を加え得ることは勿論である。
【符号の説明】
【００４３】
１      薬剤噴出補助装置
３      開口部
５      保持部
１０    転倒防止部
１５    力伝達機構
２０    結合部
２５    ペダル支持機構
３０    ペダル部
３５    滑り止め部
４０    位置調整機構
４５    ノズル位置決め部
５０    保持部上面
５５    押圧部
６０    折れ曲がり部
Ｂ      薬剤入り容器
Ｆ      足
Ｈ      手指
Ｎ      ノズル
【図１】
0003228503.tif 000003
【図２】
0003228503.tif 000004